(57)【要約】      （修正有）【課題】位置決め部が正確に加熱部の貫通孔に挿入し、加熱部材の移動又は位置決めを迅速に制御し、回路板への熱伝導を防止する。【解決手段】位置決め部２０は、熱の不良導体により本体側に設けられ、ガイドロッド１１は四方形のロッドであり、加熱部材３０の一端に加熱部３１が設けられると共に、他端にガイドロッドを設置するため四方形の取付孔を有する取付部３２が設けられ、前記固定部材４０は、取手レバー４１と、付勢ばねと、位置決めロッドとを有し、取付部に取手レバーと付勢ばねを収容するために、取付孔と連通する収容溝が形成され、該収容溝の付近に位置決めロッドを収容するために、夫々収容溝と連通する第１孔と第２孔が形成され、前記位置決めロッドが第２孔を介して孔を貫通することにより、取手レバーを収容溝に枢設し、他の位置決めロッドが第１孔に介して付勢ばねを貫通すると共に、該付勢ばねの両端が夫々収容溝の内側と取手レバーの上側と接触する。【選択図】図１
0003110096.tif 000002
【実用新案登録請求の範囲】
【請求項１】
内部に回路板を有する本体と、本体の上部の中央に設けられるガイドロッドと、位置決め部と、上下方向へ自在に移動可能な加熱部材とを備える刃先の加熱位置決め装置であって、
前記位置決め部は、熱の不良導体により本体の一側に設けられ、
前記ガイドロッドは四方形のロッドであり、該加熱部材の一端に上下方向に貫通する貫通孔を有する加熱部が設けられると共に、他端にガイドロッドを設置するため四方形の取付孔を有する取付部が設けられ、該取付部に固定部材が設けられ、
前記固定部材は、一端に孔を有する取手レバーと、付勢ばねと、位置決めロッドとを有し、取付部の外側に取手レバーと付勢ばねを収容するために、取付孔と連通する収容溝が形成され、該収容溝の付近に位置決めロッドを収容するために、夫々収容溝と連通する第１孔と第２孔が形成され、
前記位置決めロッドが第２孔を介して孔を貫通することにより、取手レバーを収容溝に枢設し、他の位置決めロッドが第１孔に介して付勢ばねを貫通すると共に、該付勢ばねの両端が夫々収容溝の内側と取手レバーの上側と接触することを特徴とする刃先の加熱位置決め装置。
【請求項２】
前記加熱部材の取付部の収容溝の上方に取手ロッドが設けられることを特徴とする請求項１に記載の刃先の加熱位置決め装置。
【請求項３】
前記本体の一側にL字形の取付プレートが固設され、該取付プレートに熱の不良導体からなる連結ブロックが設けられ、該連結ブロックの一側に取付プレートを収容するため溝が形成されると共に、他側に位置決め部を設置するため設置凹部が形成されることを特徴とする請求項１又は２に記載の刃先の加熱位置決め装置。
【考案の詳細な説明】
【技術分野】
【０００１】
本考案は、特にドリルの刃先を加工する際に使用される、刃先の加熱位置決め装置に関するものである。
【背景技術】
【０００２】
図８に示すように、従来のドリルの刃先の加熱位置決め装置は、内部に回路板を有する本体（７０）と、本体（７０）の上部の中央に設けられる円柱状のガイドロッド（７１）と、本体（７０）の上部の一側に設けられる位置決め部（７２）と、上下方向へ自在に移動可能な加熱部材（８０）とを備え、該位置決め部（７２）の上端に挿入孔（７３）が形成され、該加熱部材（８０）は一体形成のロッドであり、その一端に上下方向に貫通する貫通孔（８２）を有する加熱部（８１）が設けられると共に、他端にガイドロッド（７１）を設置するため取付孔（８４）を有する取付部（８３）が設けられ、該取付部（８３）に固定部材（９０）が設けられることにより、加熱部材（８０）をガイドロッド（７１）に沿って上下方向に移動することができ、又、加熱部材（８０）が下方へ移動され、加熱部（８１）が位置決め部（７２）に接近する場合、位置決め部（７２）が加熱部（８１）の貫通孔（８２）に挿入し、加熱部（８１）の内部における加熱手段により、位置決め部（７２）を加熱させ、一旦位置決め部（７２）を加熱すると、挿入孔（７３）を拡張させ、そして、加工予定の刃先を該挿入孔（７３）に挿入し、位置決め部（７２）を冷却させた後、刃先を位置決め部（７２）の挿入孔（７３）に強固に位置決めることにより、刃先の加工を行うことができる。
【考案の開示】
【考案が解決しようとする課題】
【０００３】
しかしながら、前記ガイドロッド（７１）は円柱状であるので、加熱部材（８０）が位置決め部（７２）へ接近する際、位置決め部（７２）が正確に加熱部（８１）の貫通孔（８２）に挿入することができなく、即ち、加熱部（８１）と位置決め部（７２）との位置ずれの問題を有し、又、従来の固定部材（９０）は螺合より加熱部材（８０）の移動又は位置決めを制御するものであるため、時間がかかり、非常に不便である。
【０００４】
更に、前記位置決め部（７２）は本体（７０）の上部に設置するため、加熱部（８１）により位置決め部（７２）を過熱させる際、その高熱が本体（７０）の内部における回路板へ伝導する恐れがあるので、回路板に悪影響を与える問題を有する。
【０００５】
そこで、案出されたのが本考案であって、位置決め部を正確に加熱部の貫通孔に挿入し、加熱部材の移動又は位置決めを迅速に制御し、回路板への熱伝導を防止する刃先の加熱位置決め装置を提供することを目的としている。
【課題を解決するための手段】
【０００６】
本願の請求項１の考案は、内部に回路板を有する本体と、本体の上部の中央に設けられるガイドロッドと、位置決め部と、上下方向へ自在に移動可能な加熱部材とを備える刃先の加熱位置決め装置であって、
前記位置決め部は、熱の不良導体により本体の一側に設けられ、
前記ガイドロッドは四方形のロッドであり、該加熱部材の一端に上下方向に貫通する貫通孔を有する加熱部が設けられると共に、他端にガイドロッドを設置するため四方形の取付孔を有する取付部が設けられ、該取付部に固定部材が設けられ、
前記固定部材は、一端に孔を有する取手レバーと、付勢ばねと、位置決めロッドとを有し、取付部の外側に取手レバーと付勢ばねを収容するために、取付孔と連通する収容溝が形成され、該収容溝の付近に位置決めロッドを収容するために、夫々収容溝と連通する第１孔と第２孔が形成され、
前記位置決めロッドが第２孔を介して孔を貫通することにより、取手レバーを収容溝に枢設し、他の位置決めロッドが第１孔に介して付勢ばねを貫通すると共に、該付勢ばねの両端が夫々収容溝の内側と取手レバーの上側と接触することを特徴とする刃先の加熱位置決め装置である。
【０００７】
本願の請求項２の考案は、前記加熱部材の取付部の収容溝の上方に取手ロッドが設けられることを特徴とする請求項１に記載の刃先の加熱位置決め装置である。
【０００８】
本願の請求項３の考案は、前記本体の一側にL字形の取付プレートが固設され、該取付プレートに熱の不良導体からなる連結ブロックが設けられ、
該連結ブロックの一側に取付プレートを収容するため溝が形成されると共に、
他側に位置決め部を設置するため設置凹部が形成されることを特徴とする請求項１又は２に記載の刃先の加熱位置決め装置である。
【考案の効果】
【０００９】
本考案は上記の課題を解決するものであり、位置決め部が正確に加熱部の貫通孔に挿入し、加熱部材の移動又は位置決めを迅速に制御し、回路板への熱伝導を防止するという効果を有する。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る刃先の加熱位置決め装置を示す斜視図であり、図２は本考案に係る刃先の加熱位置決め装置の加熱部材と固定部材を示す分解斜視図であり、図３は本考案に係る刃先の加熱位置決め装置の固定部材がガイドロッドを緊迫する状態を示す部分断面図であり、図４は本考案に係る刃先の加熱位置決め装置の固定部材がガイドロッドと離間する状態を示す部分断面図であり、図５は本考案に係る刃先の加熱位置決め装置の他の実施例を示す部分斜視図であり、図６は本考案に係る刃先の加熱位置決め装置の他の実施例を示す部分断面図であり、図７は本考案に係る刃先の加熱位置決め装置の位置決め部と本体を示す一部拡張分解斜視図である。
【実施例１】
【００１２】
図１乃至図３に示すように、本考案に係る刃先の加熱位置決め装置は、内部に回路板を有する本体（１０）と、本体（１０）の上部の中央に設けられるガイドロッド（１１）と、熱の不良導体により本体（１０）の一側に設けられる位置決め部（２０）と、上下方向へ自在に移動可能な加熱部材（３０）とを備える刃先の加熱位置決め装置であって、
前記ガイドロッド（１１）は四方形のロッドであり、該加熱部材（３０）の一端に上下方向に貫通する貫通孔（３１０）を有する加熱部（３１）が設けられると共に、他端にガイドロッド（１１）を設置するため四方形の取付孔（３２０）を有する取付部（３２）が設けられ、該取付部（３２）に固定部材（４０）が設けられ、
該固定部材（４０）は、一端に孔（４１０）を有する取手レバー（４１）と、付勢ばね（４２）と、位置決めロッド（４３）（４４）とを有し、取付部（３２）の外側に取手レバー（４１）と付勢ばね（４２）を収容するために、取付孔（３２０）と連通する収容溝（３２１）が形成され、該収容溝（３２１）の付近に位置決めロッドを（４３）（４４）収容するために、夫々収容溝（３２１）と連通する第１孔（３２２）と第２孔（３２３）が形成される。
本考案の固定部材（４０）を取付部（３２）に組み合わせる際、孔（４１０）を有する取手レバー（４１）の一端を収容溝（３２１）に挿入し、位置決めロッド（４４）が第２孔（３２３）に介して孔（４１０）を貫通することにより、取手レバー（４１）を収容溝（３２１）に枢設し、他の位置決めロッド（４３）が第１孔（３２２）に介して付勢ばね（４２）を貫通すると共に、該付勢ばね（４２）の両端が夫々収容溝（３２１）の内側と取手レバー（４１）の上側と接触することにより、取手レバー（４１）を下方に付勢する。
【００１３】
又、図７に示すように、前記本体（１０）の一側にL字形の取付プレート（１２）が固設され、該取付プレート（１２）に熱の不良導体からなる連結ブロック（１３）が設けられ、該連結ブロック（１３）の一側に取付プレートを収容するため溝（１３０）が形成されると共に、他側に位置決め部（２０）を設置するため設置凹部（１３１）が形成されることにより、加熱した位置決め部（２０）の高熱を、直接に本体（１０）の内部における回路板へ伝導する問題を防止できる。
【００１４】
本考案の固定部材（４０）の取手レバー（４１）を上方へ回転させなければ、取手レバー（４１）の内端が、付勢ばね（４２）の付勢力によってガイドロッド（１１）を強力に押圧するため、加熱部材（３０）をガイドロッド（１１）に沿って上下方向へ移動することができない。
【００１５】
又、図１及び図４に示すように、一方、加熱部材（３０）をガイドロッド（１１）に沿って上方へ移動させる場合、固定部材（４０）の取手レバー（４１）を上方へ回転させることによって、付勢ばね（４２）の付勢力に抵抗すると、取手レバー（４１）の内端がガイドロッド（１１）と離間するため、加熱部材（３０）が、ガイドロッド（１１）に沿って自在に上下方向へ移動することができ、非常に簡単で迅速である。
【００１６】
尚、本考案に係る刃先の加熱位置決め装置の加熱部材（３０）が位置決め部（２０）を加熱する方式は前記従来と等しいため、その詳細な説明を割愛する。
【実施例２】
【００１７】
図５及び図６に示すように、本考案に係る刃先の加熱位置決め装置の他の実施例は、上記の実施例と殆ど等しく、異なるのは、取手レバー（４１）の回転の利便性を高めるために、加熱部材（３０）の取付部（３２）の収容溝（３２１）の上方に取手ロッド（４５）が設けられ、使用者は取手レバー（４１）を上方へ回転させる際、親指を取手ロッド（４５）にかけて、他の指を取手レバー（４１）にかけることにより、取手レバー（４１）を安定的に上方へ回転させることができる。
【産業上の利用可能性】
【００１８】
本考案は上記の構成を有し、位置決め部は、熱の不良導体により本体の一側に設けられ、ガイドロッドは四方形のロッドであり、該加熱部材の一端に上下方向に貫通する貫通孔を有する加熱部が設けられると共に、他端にガイドロッドを設置するため四方形の取付孔を有する取付部が設けられ、該取付部に固定部材が設けられ、該固定部材は、一端に孔を有する取手レバーと、付勢ばねと、位置決めロッドとを有し、取付部の外側に取手レバーと付勢ばねを収容するために、取付孔と連通する収容溝が形成され、該収容溝の付近に位置決めロッドを収容するために、夫々収容溝と連通する第１孔と第２孔が形成され、該位置決めロッドが第２孔を介して孔を貫通することにより、取手レバーを収容溝に枢設し、他の位置決めロッドが第１孔に介して付勢ばねを貫通すると共に、該付勢ばねの両端が夫々収容溝の内側と取手レバーの上側と接触することにより、固定部材が迅速に加熱部材の移動又は位置きめを制御することができ、加熱した位置決め部の高熱を直接に本体の内部における回路板へ伝導する問題も防止できる。
【図面の簡単な説明】
【００１９】
【図１】本考案に係る刃先の加熱位置決め装置を示す斜視図である。
【図２】本考案に係る刃先の加熱位置決め装置の加熱部材と固定部材を示す分解斜視図である。
【図３】本考案に係る刃先の加熱位置決め装置の固定部材がガイドロッドを緊迫する状態を示す部分断面図である。
【図４】本考案に係る刃先の加熱位置決め装置の固定部材がガイドロッドと離間する状態を示す部分断面図である。
【図５】本考案に係る刃先の加熱位置決め装置の他の実施例を示す部分斜視図である。
【図６】本考案に係る刃先の加熱位置決め装置の他の実施例を示す部分断面図である。
【図７】本考案に係る刃先の加熱位置決め装置の位置決め部と本体を示す一部拡張分解斜視図である。
【図８】従来の刃先の加熱位置決め装置を示す斜視図である。
【図９】従来の刃先の加熱位置決め装置の固定装置を示す部分断面図である。
【符号の説明】
【００２０】
１０        本体
１１        ガイドロッド
１２        取付プレート
１３        連結ブロック
１３０      溝
１３１      設置凹部
２０        位置決め部
３０        加熱部材
３１        加熱部
３１０      貫通孔
３２        取付部
３２０      取付孔
３２１      収容溝
３２２      第１孔
３２３      第２孔
４０        固定部材
４１        取手レバー
４１０      孔
４２        付勢ばね
４３        位置決めロッド
４４        位置決めロッド
４５        取手ロッド
７０        本体
７１        ガイドロッド
７２        位置決め部
７３        挿入孔
８０        加熱部材
８１        加熱部
８２        貫通孔
８３        取付部
８４        取付孔
９０        固定部材
【図１】
0003110096.tif 000003
【図２】
0003110096.tif 000004
【図３】
0003110096.tif 000005
【図４】
0003110096.tif 000006
【図５】
0003110096.tif 000007
【図６】
0003110096.tif 000008
【図７】
0003110096.tif 000009
【図８】
0003110096.tif 000010
【図９】
0003110096.tif 000011